(57)【要約】【課題】      台紙を環状に形成することにより、環状部に手を嵌装し、簡単にごみを取ることができるごみ取り器を提供するを提供する。【解決手段】      ごみを結着（付着）させる接着剤の塗布された複数枚の粘着部材を環状に折り畳める長方形の台紙の上に結着面を外側（上側）にして積層装着するとともに、結着表面を覆う剥離するビニール素材をコーティンした蓋体が台紙の一部に連設されている構成である。また、前記携帯用簡易ごみ取り器は、長方形の台紙の中央に接着剤の塗布された粘着部を設けるとともに、粘着部の両側にビニールコーティンした２枚の蓋体を連設し、蓋体を観音開きに開けて結着面を露出する構成でもある。【選択図】  図１
2005328919.tif 000002
【特許請求の範囲】
【請求項１】
ごみを結着（付着）させる接着剤の塗布された複数枚の粘着部材を環状に折り畳める長方形の台紙の上に結着面を外側（上側）にして積層装着するとともに、結着表面を覆う剥離するビニール素材をコーティングした蓋体が台紙の一部に設けられていることを特徴とする携帯用簡易ごみ取り器
【請求項２】
前記携帯用簡易ごみ取り器は、長方形の台紙の中央に接着剤の塗布された粘着部を設けるとともに、粘着部の両側にビニールコーティングした２枚の蓋体を連設し、蓋体を観音開きに開けて結着面を露出することを特徴とする請求項１記載の携帯用簡易ごみ取り器
【請求項３】
前記携帯用簡易ごみ取り器は、観音開きにした蓋体を裏側まで折り返して嵌合係止部で環状に形成し、該環状に指を差し込んで服等をパッティングしながらごみを結着させて除去することを特徴とする請求項１記載の携帯用簡易ごみ取り器
【請求項４】
前記携帯用簡易ごみ取り器は、観音開きとなる両サイドの蓋体の一方に係止様の凸片を突設するとともに他方の蓋体には凸片を嵌入係合する溝（スリット）が設けられており、収納時にごみ取り器を封止するとともに、使用時に裏側まで折り返した蓋体の端部を係合させて環状を構成することを特徴とする請求項１記載の携帯用簡易ごみ取り器
【発明の詳細な説明】
【技術分野】
【０００１】
本発明は、洋服に付着した微細なごみを取り除くための機器であり、特に接着剤の塗布されたシート（結着部）を使用時に取り剥がしながら使用できるように積層した携帯用簡易ごみ取り器に関する。
【背景技術】
【０００２】
洋服に付着する毛や綿ほこりや糸くずについては、従来から粘着力を持つテープをロール状にした粘着ロールや、粘着性を保持する紙を積層にした構造の携帯型の粘着シートが開発されている。従来は、ガムテープ等の粘着性を持つテープを手に巻き付けて環状にして洋服等に押し当てて埃やごみを除去していた。また、既存の粘着テープロールは、ごみが付着して粘着性が低下した際にごみの付着している面を剥がさなければならず、また、ロール状の粘着シートをうまく剥がす事が出来ずに困難な作業となってしまっていた。
また、携帯型の粘着シートは、大抵のものは粘着シートが１枚だけの構成で、袋状等になっている部分に手を入れて埃を粘着面に付着させてごみを除去する構成であった。通常は、粘着シートの全体が使い捨てとなってしまっているため、コストが高くなってしまう問題があった。また、粘着シートが積層されている構造のものにあっては、一枚一枚を剥がして使用する構成であるので経済的ではあるが、薄い積層シートの粘着面を手の平で固定してパティングして使用するのは不便であった。
【０００３】
粘着面を積層させた発明として特開平１０−１４８５５が公開されている。この発明は、「粘着式クリーナ」として、基材上に粘着剤を表面として積層され、ゴミ付着層として形成されており、さらにこのゴミ付着層の全光線透過率が２０％以上で、かつヘイズ濁度が８５％以下である構成である。この粘着式クリーナは、基材上にゴミ付着層を形成するため、携帯用としては適しない構成である。すなわち、使用時に上記の通り１枚１枚剥がして使用しなければならない問題がある。また、もし手に持って使用するとしても、基材を持つのが困難であり、思うようにゴミが取れないという欠点があった。
そこで、携帯性に優れ、尚且つゴミを除去する際に持ちやすい形状となるごみ取り器（ごみ付着器）の開発が待たれていた。
【０００４】
【特許文献１】特開平１０−１４８５５号
【発明の開示】
【発明が解決しようとする課題】
【０００５】
本発明は上記問題を解決するためのごみ取り器の構造であり、台紙を環状に形成することにより、環状部に手を嵌装し、簡単にごみを取ることができるごみ取り器を提供することを目的としている。
【課題を解決するための手段】
【０００６】
上記目的を達成するために本発明に係るごみ取り器は、ごみを結着（付着）させる接着剤の塗布された複数枚の粘着部材を環状に折り畳める長方形の台紙の上に結着面を外側（上側）にして積層装着するとともに、結着表面を覆う剥離するビニール素材をコーティングした蓋体が台紙の一部に連設されている構成である。
【０００７】
また、前記携帯用簡易ごみ取り器は、長方形の台紙の中央に接着剤の塗布された粘着部を設けるとともに、粘着部の両側にビニールコーティングした２枚の蓋体を連設し、蓋体を観音開きに開けて結着面を露出する構成でもある。
【０００８】
また、前記携帯用簡易ごみ取り器は、観音開きにした蓋体を裏側まで折り返して嵌合係止部で環状に形成し、該環状に指を差し込んで服等をパッティングしながらごみを結着させて除去する構成でもある。さらに、前記携帯用簡易ごみ取り器は、観音開きとなる両サイドの蓋体の一方に係止様の凸片を突設するとともに他方の蓋体には凸片を嵌入係合する溝（スリット）が設けられており、収納時にごみ取り器を封止するとともに、使用時に裏側まで折り返した蓋体の端部を係合させて環状を構成する。
【発明の効果】
【０００９】
本発明に係るごみ取り器は上記詳述した通りの構成であるので、以下のような効果がある。
１．粘着面が上面になるように積層されているため、ごみ取り器の本体を持って蓋体を開いた状態で積層された最上面の粘着シートを使用することが可能となる。
２．蓋体を観音開きにしてそのまま使用するので、粘着シートを１枚ずつ手に取って使用するのではないので使い勝手がよい。
３．さらに、観音開きにした蓋体を裏で係合させて環状に構成することにより環状の空間に指や手を入れて片手でごみ取り器を簡単に使用することが可能である。
４．嵌合係止部を凸片と溝とすることにより、誰にでも確実に係合することが出来て収納もコンパクトである。
【発明を実施するための最良の形態】
【００１０】
以下本発明にかかるごみ取り器を図面に示す実施例に基づいて詳細に説明する。図１はごみ取り器の平面図であり、図２はごみ取り器の使用状態を示す図であり、図３はごみ取り器の収納時を示す図である。図４は別の実施例のごみ取り器の平面図であり、図５はごみ取り器の使用状態を示す図であり、図６はごみ取り器の収納時を示す図である。
本発明のごみ取り器１０は、台紙２０と、粘着部材３０とからなり、台紙を観音開きに開けて台紙に積層されている粘着部材の表面を出し、ごみ取り器の本体ごと塵やごみに接着してごみ等を粘着部材側に吸着する。収納する時は細かいごみが着いたまま蓋をする事ができる。再利用する時は、最上面のごみの着いた状態の（使い終わった）シートを剥がして、粘着力のある新たな粘着面を表面に出してごみ取り器として使用する。
【００１１】
ごみ取り器１０は、服や靴等に付着する埃や糸屑等のごみを取り除くもので、粘着部材３０の粘着シート３２の表面を押し当ててゴミを剥離付着させ、取り除く構成である。このごみ取り器１０は、携行性に優れ、かつ継続使用に耐えるように剥離する複数枚の粘着シートからなり全体の重さを軽量化している。
【００１２】
台紙２０は、粘着部材３０を積層する積層部２２と、収納時に粘着部材を覆う蓋体部２４とからなる。複数枚の積層した粘着部材３０をその中央に固着した構成であり、蓋体部を２つ折り、若しくは３つ折りにして折り畳んで粘着部材を収納できるように、台紙には折れ線２９が形成されている。台紙の素材は、樹脂製や紙製等様々な素材を使用できるが、継続的な使用でも型が崩れない程度の強度を保てる素材が望ましい。
【００１３】
蓋体部２４は、収納時に粘着部材３０の表面が外部と接着しないように粘着シート３２の表面を覆う蓋であり、蓋体が容易に粘着部材の表面から剥がれるように接触面に剥離加工等が施されている。本発明の蓋体部２４は特にビニール素材により剥離加工されているが、他の加工により剥離しやすい蓋体を構成してもよい。これにより、蓋体部２４で粘着部材３０の表面を覆って蓋をしても、使用時に簡単に蓋体部２４を剥がして粘着表面を露出することができる。
【００１４】
台紙２０の長手方向の一方の端部には嵌合係止片である凸片２６が突設されており、また、同じく他端部の付近には該凸片２６を嵌入させ係合する溝２８が切設されている。溝２８の幅は凸片２６より少し幅が広く形成されていて凸片２６が嵌入できる大きさである。
【００１５】
粘着部材３０は、粘着シート３１を多数枚積層した構成である。積層の方法は、従来と異なり、粘着シート３１の粘着面３２を上面にして台紙２０に積層された状態の束を台紙の中央に強固な接着剤等で堅固に固着した構成である。粘着面３２は、粘着剤が塗布されているが、粘着剤に限定はなく、埃や糸くずが取れる程度の粘着力を持つ粘着剤を用いればよい。
従来は、接着面を下面（内側）にして積層し、使用時に剥がして粘着シートを使用していたが、この発明では、粘着面３２が上面になるために粘着面３２が使用時以外に他の埃やごみと接触しないように蓋で粘着面を覆う必要があり、そのための蓋体が設けられている。
【実施例１】
【００１６】
本発明のごみ取り器の実施例を詳細に説明する。図１は蓋体部２４を開いた際の平面図である。
この実施例では、台紙２０の中央に粘着部材３０を積層する積層部２２が設けられ、台紙の長手方向の上下両端に蓋体部２４が設けられている。台紙の一方の端部には凸片２６が形成されており、他端であるもう一方の端部付近には溝２８が形成されている。
【００１７】
図２は両端の蓋体部２４を係合させて使用する際の使用状態を示す図であり、台紙２０の両端の蓋体部２４を裏側に折り曲げて係合させる構造である。裏側に折り曲げて係合させることにより、図２に示すように略三角柱状の空間４０を作り出すことができる。この空間４０に指または手を入れて粘着部材３０を服等に押し付けて埃を取ることができる。また、携行時には図３に示すように蓋体部２４を内側に折り曲げて粘着部材３０の粘着シートの粘着面を蓋体で覆うようにして保管する。
【実施例２】
【００１８】
次に、本発明の別の実施例を説明する。図４は蓋体部２４を開いた際の平面図である。
この実施例では、台紙２０の中央部に粘着部材３０を積層する積層部２２が設けられ、一方の端部に蓋体部２４が設けられている。蓋体部２４の端部には、凸片２６が形成されており、さらに台紙２０に溝２８が形成されている。
【００１９】
図５は蓋体部 ２４を台紙２０に係合させて使用する際の使用状態を示す図であり、蓋体部２４を粘着部材３０が積層されていない裏側に折り曲げて、下片２６を台紙２０に形成されている溝２８に挿入して係合する。図５に示すように係合させた際に、積層部２２の裏面には、半円筒形状の空間が形成され、この空間に手、若しくは指等を入れて使用することができる。また、携帯時には図６に示すように蓋体部２４を内側に折り曲げて粘着部材３０を覆うようにして保管する。
【図面の簡単な説明】
【００２０】
【図１】ごみ取り器の平面図
【図２】ごみ取り器の使用状態を示す図
【図３】ごみ取り器の収納時を示す図
【図４】別の実施例のごみ取り器の平面図
【図５】ごみ取り器の使用状態を示す図
【図６】ごみ取り器の収納時を示す図
【符号の説明】
【００２１】
１０    ごみ取り器
２０    台紙
２２    積層部
２４    蓋体部
２６    凸片
２８    溝
２９    折れ線
３０    粘着部材
３１    粘着シート
３２    粘着面
【図１】
2005328919.tif 000003
【図２】
2005328919.tif 000004
【図３】
2005328919.tif 000005
【図４】
2005328919.tif 000006
【図５】
2005328919.tif 000007
【図６】
2005328919.tif 000008